(57)【要約】【課題】ファッション性が高く通勤や休日など日常的に使用が可能で、柔軟性が高く変形が可能な新しいデザイン靴であって、変形性・ファッション性・持ち運び・防水性などの機能を備え、かつ製造コストを極力抑えることが出来る靴を提供すること。【解決手段】柔軟な筒部分を有するデザイン靴が、短靴と、少なくとも防水性を有する２枚の柔軟部材からなり、筒状とすべく、靴正面と背面にあたる部分で縫い合わされ、縫い合わされた部分の上には防水性フィルムがシーリングされており、どこからでも自在に折り曲げることが可能な、柔軟性を有する筒部とからなり、筒部は、下部が短靴の足口に縫い合わされ、、縫い合わされた部分の上には防水性フィルムがシーリングされており、上部には筒口の大きさを調整する調整部材が設けられていることからなる。【選択図】図１
0003160254.tif 000002
【実用新案登録請求の範囲】
【請求項１】
短靴と、
少なくとも防水性を有する２枚の柔軟部材からなり、筒状とすべく、靴正面と背面にあたる部分で縫い合わされ、縫い合わされた部分に外側から防水性フィルムがシーリングされており、どこからでも自在に折り曲げることが可能な、柔軟性を有する筒部とからなり、
筒部は、下部が短靴の足口に縫い合わされ、縫い合わされた部分の上には防水性フィルムがシーリングされており、上部には筒口の大きさを調整する調整部材が設けられていることを特徴とする柔軟な筒部分を有するデザイン靴。
【請求項２】
短靴が、それ自体で、日常の外履きとして販売及び使用できるファッション靴であることを特徴とする請求項１に記載の柔軟な筒部分を有するデザイン靴。
【請求項３】
防水性を有する２枚の柔軟部材が、生地にポリウレタン・ポリ塩化ビニル・熱可塑性エラストマー又はアクリルでコーティング又はラミネートした部材であることを特徴とする請求項１又は２に記載の柔軟な筒部分を有するデザイン靴。
【請求項４】
筒口の大きさを調整する調整部材が、紐及び締付具からなることを特徴とする請求項１ないし３のいずれか１項に記載の柔軟な筒部分を有するデザイン靴。
【請求項５】
短靴の甲被が、トゥーシューズの外観を有していることを特徴とする請求項１ないし４のいずれか１項に記載の柔軟な筒部分を有するデザイン靴。
【考案の詳細な説明】
【技術分野】
【０００１】
本考案は、柔軟な筒部分を有するデザイン靴に関する。
【背景技術】
【０００２】
従来より、雨や釣りに使われる長靴として、ゴム長靴が使用されている。これらは、防水性に関しては十分であるが、厚みがあり変形しにくく成形されているため、持ち運びなどには難点があった。
【０００３】
そこで、ゴム長靴の甲部分より上の脚部分を防水性のある布として、柔軟性をもたせた靴が開示されている（特許文献１参照）。
しかしながら、ゴム長靴はデザイン性に乏しく、特に女性が普段使用する靴としての役割を持たせることはできないという問題点があった。
【０００４】
その一方、普段通勤や休日などに使用できる靴、特に女性用の靴においては、わずかなデザインの差が売上に大きく影響を与えるため、新しく斬新な発想から生み出されるデザイン靴が常に要求されている。さらに、新しいだけでなく、その製造コストについても極めて低価格を維持することが強く要求されている。
【先行技術文献】
【特許文献】
【０００５】
【特許文献１】実開平２−２３８０６号公報
【考案の概要】
【考案が解決しようとする課題】
【０００６】
そこで、本考案の目的は、ファッション性が高く通勤や休日など日常的に使用が可能で、柔軟性が高く変形が可能な新しいデザイン靴であって、変形性・ファッション性・持ち運び・防水性などの機能を備え、かつ製造コストを極力抑えることが出来る靴を提供することを目的とする。
【課題を解決するための手段】
【０００７】
上記目的を達成するため、本発明の柔軟な筒部分を有するデザイン靴は、短靴と、少なくとも防水性を有する２枚の柔軟部材からなり、筒状とすべく、靴正面と背面にあたる部分で縫い合わされ、縫い合わされた部分には外側から防水性フィルムがシーリングされており、どこからでも自在に折り曲げることが可能な、柔軟性を有する筒部とからなり、筒部は、下部が短靴の足口に縫い合わされ、縫い合わされた部分の上には防水性フィルムがシーリングされており、上部には筒口の大きさを調整する調整部材が設けられていることからなる。
また、短靴が、それ自体で、日常の外履きとして販売及び使用できるファッション靴であることが好適である。
また、  防水性を有する２枚の柔軟部材が、生地にポリウレタン・ポリ塩化ビニル・熱可塑性エラストマー・アクリルなどでコーティング又はラミネートした部材であることが好適である。
また、筒口の大きさを調整する調整部材が、紐及び締付具からなることが好適である。
また、短靴の甲被が、トゥーシューズの外観を有していることが好適である。
【０００８】
すなわち、本考案では、それ自体単独で販売・使用できるファッション性の高い短靴に、自在に折り曲げることができる柔軟性の高い部材で筒部を作り、それらを組み合わせて、ブーツ状の靴として使用できる靴としたものである。これにより、従来とは全く異なるファッション性を有し、履きやすく、かつ変形性が強く使用者の自由度の高い靴を提供するだけでなく、持ち運び・防水性などの機能を同時に実現させたものである。
【０００９】
さらに、筒部を、少なくとも表面が防水性を有する２枚の柔軟部材を靴正面と背面にあたる部分で縫い合わせ、縫い合わされた部分に外側から防水性フィルムをシーリングして構成したことで、一体成型で作る場合や、１枚の生地を複雑な靴の形に合わせて筒部を作る場合に比べ、柔軟部材の設計・取り付けが容易なので、防水性と柔軟性を維持しつつも、格段にコストを抑え、かつ製造を容易に行うことができるものとしたものである。なお、縫い合わせ部分を靴正面と背面にあたる部分とすることで、上記の効果だけでなくデザイン性も維持できるものである。なお、「防水性を有する」とは完全防水だけでなく、日常防水程度のものや撥水機能も含み、筒部の内部に水が入りにくい構造であればよい。普段使用できるデザイン靴としての役割を有すれば良いからである。
【００１０】
柔軟部材は、綿・ポリエステル・ウール・レザーといった様々な公知の素材を生地として使用可能である。防水性の確保についても、各種公知の方法で可能であるが、例えば上記の素材にポリウレタン・ポリ塩化ビニル・熱可塑性エラストマー・アクリルなどでコーティング又はラミネートして防水性を確保できる。このような構成により、軽量化とデザインの多様性も確保できるものである。また、柔軟性の高いポリウレタン・ポリ塩化ビニル自体を薄い生地として使用することも可能である。
【００１１】
使用の具体例としては、例えば履いている時には筒部を好きなところで折り曲げて、好きな長さに調整することで、長靴としての外観だけでなく、短靴又はショートブーツの外観としたりすることも可能である。調整部材は、足から筒部がずり落ちないよう、例えば紐で構成され、締めることで適宜調整可能である。筒口の調整部材は、典型的には、筒状とした内部に紐を通し、締付具を使用することで構成されるが、その他公知の調整部材を適宜使用することが可能である。
【００１２】
そして、脱いでいる際は、筒部をくるくると巻き、短靴の内部に折り込むことでコンパクトで綺麗な形状となり、持ち運びを容易にしたりすることができる。また販売上も、綺麗なデザインで商品を並べることができ、省スペース化と同時に顧客吸引力・アピール力を上げるということができる。
【００１３】
短靴は、ハイヒールを含め市販されている様々な種類のデザイン性の高いファッション靴を使用することが可能であるが、トウシューズの外観にして構成した場合は、上記の機能を持ち、かつこれまでと全く異なるデザイン靴を提供することができる。
【００１４】
また、筒部の表裏面に様々なプリント・模様を施すことが出来ることは言うまでもなく、短靴にインヒールを入れたり、靴底に滑りにくい加工を行うなど、現在行われている様々な技術と併用が可能である。本考案は必ずしも女性用に限定されず、男性用の靴としても応用が可能である。また、現在短靴として販売されているものを使用することで、さらにコスト削減を行うことができる場合も考えられる。
【考案の効果】
【００１５】
本考案の以上の構成により、ファッション性が高く通勤や休日など日常的に使用が可能で、柔軟性が高く変形が可能な新しいデザイン靴であって、変形性・ファッション性・持ち運び・防水性などの機能を備え、かつ製造コストを極力抑えることが出来る靴を提供することができる。
【図面の簡単な説明】
【００１６】
【図１】本考案の靴を示した正面側からの斜視図である。
【図２】本考案の靴を示した背面側からの斜視図である。
【図３】本考案の靴を正面から見た図である。
【図４】本考案の靴の筒部を巻いて短靴の内部に折り込んだ状態を示す図である。
【考案を実施するための形態】
【００１７】
以下、本考案の実施の一例を図面にしたがって説明する。図１は、正面側からの斜視図であり、図２は、背面側からの斜視図である。また、図３は、正面から見た図である。
【００１８】
本考案の柔軟な筒部分を有するデザイン靴は、短靴１と、筒部２とからなる。
短靴１は、その甲被がトウシューズの外観を有している。しかしながら、実際のトウシューズと異なり、甲被は皮革又は擬似皮革などで構成され、また薄い靴底３も設けられ、日常的な外履きとして使用すべく構成されている。これら構成により、たとえ短靴１単体でも販売・使用に耐えるデザイン及び構造となっている。
【００１９】
筒部２は、布地にポリウレタンでラミネート加工した、２枚の防水性を有する柔軟性部材４を、靴正面と背面に縫い合わせ部分５がくるように縫い合わされている。デザイン上、本実施例では、正面の縫い合わせ部分５は外観から縫い目がわかるように縫合されているが、背面の縫い合わせ部分は、内側で縫い合わされていて、外面はすっきりと直線状を示している。そして、縫い合わせ部分５から水が入らないよう、外側には透明のテープ状の防水フィルム６がシーリングされている。これら構成により、製造の容易さと低コストを維持しつつも、機能性と高いデザイン性を保つことができるものである。
【００２０】
筒部２は、その下部が短靴１の足口７（足を入れる口部分）に縫い合わされて接続されている。本実施例では縫い目が外観に出ないよう、甲被を二重にして、内側に縫い合わされている（図示せず）。また、防水性を確保するため、縫い目の上には透明のテープ状の防水フィルムがシーリングされている（図示せず）。
【００２１】
筒部２は、その上部の筒口１０に、縁を筒状とした内部に紐８が通され、締付具９によって留められている。締付具９から紐を引いたりすることで、筒口１０の大きさを調整することができる。これにより、脚の好きな部分で締めることができ、履いた後にずり落ちることがない。
【００２２】
図４は、筒部２を巻き、短靴１の足口７に向かって折り込んだ状態を示している。筒部２はどこからでも自在に折り曲げることができるため、このようにすることで、省スペース化・持ち運びの容易さを実現することが出来るだけでなく、図４に示すような綺麗な外観とすれば、店舗における販売時には、顧客吸引力・アピール力を大きく上げることが可能となる。また、使用時には、筒部２を延ばしきる以外にも、何重かに折り返して、好きな長さに調整することが可能で、使用上の自由度も高いものである。
【符号の説明】
【００２３】
１  短靴
２  筒部
３  靴底
４  柔軟性部材
５，縫い合わせ部分
６  防水フィルム
７  足口
８  紐
９  締付具
１０  筒口
【図１】
0003160254.tif 000003
【図２】
0003160254.tif 000004
【図３】
0003160254.tif 000005
【図４】
0003160254.tif 000006